(57)【要約】      （修正有）【課題】表示の工夫によって、緊急時の衣服としての応用を可能とし、袋の開口部の閉塞機能を付帯させたごみ収集袋を提供する。【解決手段】一辺が開口すると共に他の三辺が閉塞された矩形状の市販のごみ袋において、開口する上部開口辺１ａに対向する下部閉塞辺１ｄの中央部に逆Ｖ字状または逆Ｙ字状の第１の開口裁断線２ｃを表示すると共に、下部閉塞辺１ｄの左右の端部には、下部閉塞辺１ｄと左右の閉塞辺１ｂ．１ｃとで形成される角部を欠落させる第２の開口裁断線２ａ．２ｂを夫々設ける。また、紐片４ａ．４ｂを形成するためのスリット又はミシン目による第３の開口裁断線３ａ．３ｂを上部開口辺近傍に設ける。【選択図】図１
0003207750.tif 000002
【実用新案登録請求の範囲】
【請求項１】
一辺が開口すると共に他の三辺が閉塞された矩形状のごみ収集袋において、前記開口する上部開口辺に対向する下部閉塞辺の中央部に逆Ｖ字状または逆Ｙ字状の第１の開口裁断線を表示すると共に、下部閉塞辺の左右の端部には、下部閉塞辺と左右の閉塞辺とで形成される角部を欠落させる第２の開口裁断線を夫々設けたことを特徴とするごみ収集袋。
【請求項２】
前記開口する上部開口辺の端縁に沿い且つ若干の間隔を設けた内側に左右の閉塞辺の端から中央部の近傍に至るスリット又はミシン目による第３の開口裁断線を設けたことを特徴とする請求項１に記載のごみ収集袋。
【請求項３】
前記開口する上部開口辺の端縁に沿い且つ若干の間隔を設けた内側に左右の閉塞辺の端から一定の間隔を置いて中央部にスリット又はミシン目による第３の開口裁断線を設けたことを特徴とする請求項１に記載のごみ収集袋。
【考案の詳細な説明】
【技術分野】
【０００１】
本考案は、ごみ収集袋に関する。詳しくは、災害や緊急時に簡易的に衣服類として使用可能なごみ収集袋に関するものである。
【背景技術】
【０００２】
一般の家庭の台所の生ごみや家庭のごみを廃棄するために、ポリエチレン系樹脂製ごみ収集袋が周知である。これらは、焼却時の燃焼による発熱量を低く抑えて、焼却炉の損傷を防ぐとともに、内容物が確認できるようにした透明なものから、やや内容物が確認できる乳白色のもの、内容物の汚さを目立たせない黒色等の着色させたごみ収集袋等の多彩な種類があり、且つ、小型の容量から大型の容量の様々なタイプが存在する。
【０００３】
また、同様のごみ収集袋は、家庭用だけでなく、農業、園芸用などにも利用されているのが現状である。
【特許文献１】特開２００５−２１９８４１号公報
【考案の開示】
【考案が解決しようとする課題】
【０００４】
従来の市販の一般的なごみ収集袋は単なる袋であって、例えば、特許文献１の技術では、端部の一部を帯状に切断して別体の紐を作り、これを密閉具として応用したものはあるが、ごみ収集袋としての利便性を向上させるものの、それ以外には活用されていないのが現状である。
【０００５】
本考案は、上記課題を解消するもので、表示の工夫等によって、簡単に緊急時の衣服類として応用できることを目的とする。
【課題を解決するための手段】
【０００６】
上記課題を解決するために講じた本考案の手段は次のとおりである。
【０００７】
本考案で使用するごみ収集袋１は、一辺が開口すると共に他の三辺が閉塞された矩形状の市販のごみ袋である。開口する上部開口辺１ａに対向する下部閉塞辺１ｄの中央部に逆Ｖ字状または逆Ｙ字状の第１の開口裁断線２ｃを表示すると共に、下部閉塞辺１ｄの左右の端部には、下部閉塞辺１ｄと左右の閉塞辺１ｂ．１ｃとで形成される角部を欠落させる第２の開口裁断線２ａ．２ｂを夫々設ける。
【０００８】
前記開口する上部開口辺１ａの端縁に沿い且つ若干の間隔を設けた内側に左右の閉塞辺１ｂ．１ｃの端から中央部の近傍に至るスリット又はミシン目による第３の開口裁断線３ａ．３ｂ、または、前記開口する上部開口辺の端縁に沿い且つ若干の間隔を設けた内側に左右の閉塞辺の端から一定の間隔を置いて中央部にスリット又はミシン目による第３の開口裁断線３ｃを設ける。尚、これらの開口裁断線の内、第１の開口裁断線２ｃ、第２の開口裁断線２ａ．２ｂは、印刷による裁断指示線であり、第３の開口裁断線３ａ．３ｂ．３ｃは、紐片４ａ．４ｂ．４ｃを形成する目的でスリット、又はミシン目にて形成される。
【０００９】
本考案は、ごみ収集袋1を使用した際、前記夫々の開口裁断線を切り離して使用する。
第１の開口裁断線２ｃは、ごみ収集袋1を衣服類として使用する際に、好適なものであり、上部開口辺１ａから着衣して人の頭部を通す穴となる。
【００１０】
第２の開口裁断線２ａ．２ｂは、上記と同様にごみ収集袋1を衣服類として使用する際に、好適なものであり、上部開口辺１ａから着衣して人の手を通す穴となる。
【００１１】
第３の開口裁断線３ａ．３ｂ又は第３の開口裁断線３ｃは、これを切り離すことで、紐片４ａ．４ｂ又は、紐片４ｃが形成され、ごみ収集袋1にごみを収めた後にこれを用いて開口部を閉塞することができる。
【考案の効果】
【００１２】
本考案は上記構成を備えることで、ごみ収集袋1を使用する前に、前記夫々の開口裁断線を切り離して使用する。この内、第１の開口裁断線と第２の開口裁断線を切り離することで、上部開口辺から着衣して第１の開口裁断線で形成された穴に頭部を通し、次いで、第２の開口裁断線で形成された穴に手を通すことでごみ収集袋１を即席のチョッキのような衣服類として使用することができるものであり、例えば、透明度の低いごみ収集袋1においては、これを災害や緊急時に簡易な脱衣設備としても使用することができる。
【図面の簡単な説明】
【００１３】
【図１】本考案に係るごみ収集袋の一実施例を示す平面図である。
【図２】本考案に係るごみ収集袋の他の実施例を示す平面図である。
【図３】本考案に係るごみ収集袋の他の実施例を示す平面図である。
【図４】本考案に係るごみ収集袋の使用状態の説明図である。
【図５】本考案に係るごみ収集袋の使用状態の説明図である。
【考案を実施するための最良の形態】
【００１４】
以下、本考案を図面に示した実施例に基づき更に詳細に説明する。
【実施例】
【００１５】
図１は本考案に係るごみ収集袋の一実施例を示す平面図であり、図２及び図３は本考案に係るごみ収集袋の他の実施例を示す平面図である。
【００１６】
符号１はごみ収集袋で、ポリエチレンフィルム等で形成された扁平な矩形状の袋体であり、台所などで出る生ごみや紙屑等を廃棄するための市販のごみ袋である。
【００１７】
本考案で使用するごみ収集袋１は、一辺が開口すると共に他の三辺が閉塞された矩形状の市販のごみ袋である。開口する上部開口辺１ａに対向する下部閉塞辺１ｄの中央部に、図１に図示の如く、逆Ｖ字状、または図２及び図３に図示の如く、逆Ｙ字状の第１の開口裁断線２ｃを表示する。表示に際しては、単に線を印刷して良いが、デザイン性を有した線や色彩が好ましい。
【００１８】
下部閉塞辺１ｄの左右の端部には、下部閉塞辺１ｄと左右の閉塞辺１ｂ．１ｃとで形成される角部を欠落させる第２の開口裁断線２ａ．２ｂを夫々設けて表示する。この第２の開口裁断線２ａ．２ｂも、前記第１の開口裁断線２ｃと同様に形成する。
【００１９】
本考案におけるごみ収集袋1を使用するに際しては、前記第１の開口裁断線２ｃと第２の開口裁断線２ａ．２ｂが表示のみである場合は、前記夫々の開口裁断線を挟み等で切り離して使用する。
【００２０】
第１の開口裁断線２ｃを切り離して穴ができると、図４に図示の如く、ごみ収集袋1の上部開口辺１ａから人Ｐの頭部を通し、第２の開口裁断線２ａ．２ｂを裁断した穴へ人Ｐの腕を通して衣服類として使用する。尚、この仕様形態は、更衣設備や、防寒具としての使用が可能である。
【００２１】
尚、図１、図２、図３の各実施例は、使用する人の上半身と首周りのサイズにより選択的に用いる。これにより、幼児から大人まで幅広く使用することができる。図１の逆Ｖ字状、図２及び図３の逆Ｙ字状の第１の開口裁断線２ｃは、これらのバリエーションを意味していて、逆Ｖ字状を通常サイズとすると、逆Ｙ字状の先端部分は、それより大きなサイズの場合に裁断して使用することとなる。尚、後述する第３の開口裁断線３ａ．３ｂ．３ｃの形態と自由に組み合わせて形成することで、様々なバリエーションのごみ収集袋１を形成することができる。
【００２２】
尚、ごみ収集袋1の着衣時に腹または背にあたる部位へ文字やキャラクターの図画を描写する等の工夫をしても良い。
【００２３】
更に、本考案の図１、図２の例では、前記開口する上部開口辺１ａの端縁に沿い且つ若干の間隔を設けた内側に左右の閉塞辺１ｂ．１ｃの端から中央部の近傍に至る第３の開口裁断線３ａ．３ｂを設けている。一方、図３の例では、前記開口する上部開口辺１ａの端縁に沿い且つ若干の間隔を設けた内側に左右の閉塞辺１ｂ．１ｃの端から所定の間隔をおいて中央部に第３の開口裁断線３ｃを設けている。尚、裏面に同様に現れる第３の開口裁断線３ｃは図示していない。
【００２４】
これらの前記第３の開口裁断線３ａ．３ｂ．３ｃは、スリットやミシン目で形成することで、使用者が簡単に裁断できることが好ましい。前記第３の開口裁断線３ａ．３ｂは、これを切り離すことで、残存部分に二本の紐片４a．４bが形成されるので、ごみ収集袋1へごみ類を収めた後に、開口部を閉じる際に使用することができる。図５に図示の如く、紐片４a．４b、又は紐片４cを使用して開口部を密閉することができるので、前述の第１の開口裁断線２ｃ及び第２の開口裁断線２ａ．２ｂを裁断しないで使用すれば、通常のごみ収集は勿論のこと、災害時や避難所においては、水を収納して水タンクや水嚢として使用したり、空気を入れて浮き袋として使用することが可能である。
【００２５】
本考案における前記の構成は、従来の如く、単に別体の紐を使用して閉塞するものと異なり、紐片４a．４b．４cがごみ収集袋1に一体的に形成されることになるので、安定して縛る作業ができるため、作業がし易い。また、この際、確りとごみ収集袋1の開口部を閉塞することができることから、強固な密閉状態を保つことができるので、このため、ごみの収容時には、悪臭等の放出を防止し、安心して水嚢や浮き袋として使用することができる。
【産業上の利用可能性】
【００２６】
本考案のごみ収集袋は、即席の衣服類として使用できるだけでなく、災害や緊急時の簡易的な脱衣設備としても使用することができる。また、とりわけ災害時においては、一つのごみ収集袋で、廃棄物の処理、必要な物資の運搬、雨天時の緊急着衣、寒冷時の防寒対策、脱衣所の存在しない施設での避難時に、簡易な着脱できる更衣用具等として多岐に亘り活躍する。
【符号の説明】
【００２７】
１  ごみ収集袋
１ａ  上部開口辺
１ｂ  左右の閉塞辺
１ｃ  左右の閉塞辺
１ｄ  下部閉塞辺
２ａ  第２の開口裁断線
２ｂ  第２の開口裁断線
２ｃ  第１の開口裁断線
３ａ  第３の開口裁断線
３ｂ  第３の開口裁断線
３ｃ  第３の開口裁断線
４ａ  紐片
４ｂ  紐片
４ｃ  紐片
【図１】
0003207750.tif 000003
【図２】
0003207750.tif 000004
【図３】
0003207750.tif 000005
【図４】
0003207750.tif 000006
【図５】
0003207750.tif 000007